(57)【特許請求の範囲】
【請求項１】
形状の異なる複数の分割容器を組み合わせてなり、
略楕円形状の弁当箱の内部に前記各分割容器を配置することにより、略楕円形状を短軸方向に沿って分割して得られる略半楕円形状のスペースを占める弁当箱用おかず小分け容器であって、
前記略半楕円形状を長軸方向に沿って分割して得られる略１／４楕円形状の平坦な底面部およびこの底面部の外周縁から立ち上がる側面部を有する第１の分割容器と、
その残りの略１／４楕円形状を前記短軸方向に沿ってさらに分割して得られる略扇形状の平坦な底面部およびこの底面部の外周縁から立ち上がる側面部を有する第２の分割容器、および略四角形状の平坦な底面部およびこの底面部の外周縁から立ち上がる側面部を有する第３の分割容器と
からなり、前記各分割容器の前記各側面部がひだ状に形成されており、隣接する前記分割容器同士の側面部においてひだがかみ合っていることを特徴とする弁当箱用おかず小分け容器。
【請求項２】
前記各分割容器は、紙、アルミ箔、樹脂のいずれか１種または２種以上の複合材料で形成されていることを特徴とする請求項１に記載の弁当箱用おかず小分け容器。
【発明の詳細な説明】
【技術分野】
【０００１】
本発明は、弁当箱用小分け容器に関する。
【背景技術】
【０００２】
従来から、弁当箱に複数のおかずなどを詰める場合に、隣り合うおかずが混ざったり煮物の煮汁が揚げ物や白飯に付着したりしないように、小分け用容器が用いられている。このような小分け容器としては、所定の弁当箱の形状に応じて弁当箱の内部を仕切るように形成された専用の内容器や、各種形状の弁当箱に汎用できるように紙やアルミ箔、樹脂などから形成されたいわゆるおかずカップ、お弁当カップなどと呼ばれる容器などがある。
【０００３】
たとえば、特許文献１には、容量の異なる複数の中容量内容器および小容量内容器が外箱に収容される弁当箱が提案されている。この容器は、内容器を所定容積とすることにより、所定熱量の食品をバランスよく摂取できるように構成されている。
【先行技術文献】
【特許文献】
【０００４】
【特許文献１】特開２００５−１１８５５１号公報
【発明の概要】
【発明が解決しようとする課題】
【０００５】
しかしながら、特許文献１に提案される弁当箱は、栄養バランスのよい食事を実現するためのものであるため、所定の外箱に対して内容器をすべて用いることが求められ、別の弁当箱を用いたい場合やおかずの品数や量を自由に変更したい場合には利用しにくいという問題がある。
【０００６】
また、従来のおかずカップは一般に底面が円形や小判型であるので、弁当箱の形状が直方体等の場合には複数のおかずカップを隙間なく詰めやすい。しかしながら、たとえば弁当箱の形状が小判型である場合には、円形や小判型のおかずカップを複数並べても隙間ができやすいため、おかずカップが弁当箱の中で移動してしまい、異なるおかず同士が混ざってしまう等の問題があった。
【０００７】
本発明は、このような事情に鑑みてなされたもので、弁当箱内の所定スペースに隙間なく詰めやすく、スペースの有効活用が可能であるとともに弁当箱内でずれにくい弁当箱用小分け容器を提供することを目的とする。
【課題を解決するための手段】
【０００８】
本発明は、形状の異なる複数の分割容器を組み合わせてなり、略楕円形状の弁当箱の内部に前記各分割容器を配置することにより、略楕円形状を短軸方向に沿って分割して得られる略半楕円形状のスペースを占める弁当箱用おかず小分け容器であって、前記略半楕円形状を長軸方向に沿って分割して得られる略１／４楕円形状の平坦な底面部およびこの底面部の外周縁から立ち上がる側面部を有する第１の分割容器と、その残りの略１／４楕円形状を前記短軸方向に沿ってさらに分割して得られる略扇形状の平坦な底面部およびこの底面部の外周縁から立ち上がる側面部を有する第２の分割容器、および略四角形状の平坦な底面部およびこの底面部の外周縁から立ち上がる側面部を有する第３の分割容器とからなり、前記各分割容器の前記各側面部がひだ状に形成されており、隣接する前記分割容器同士の側面部においてひだがかみ合っている。
【０００９】
この弁当箱用小分け容器によれば、複数の分割容器を組み合わせると略半楕円形状となるので、略楕円形状の弁当箱において、おかず用に設定された略半楕円形状の所定スペースに対して隙間なく収容されることにより、スペースを有効活用でき、またおかずがずれにくい。
また、この弁当箱用おかず小分け容器において、前記各分割容器の前記各側面部がひだ状に形成されているので、各分割容器を複数枚重ねて効率よく成形することができる。また、隣接する側面部においてひだがかみ合うことにより、各分割容器同士のずれが生じにくいので、弁当箱内での分割容器のずれが防止される。
【００１１】
また、この弁当箱用おかず小分け容器において、前記各分割容器は、紙、アルミ箔、樹脂のいずれか１種または２種以上の複合材料で形成されていることが好ましい。この場合、各分割容器の使い捨てが可能である。
【発明の効果】
【００１３】
本発明によれば、弁当箱内の所定スペースに隙間なく詰めやすく、スペースの有効活用が可能であるとともに弁当箱内でずれにくい弁当箱用小分け容器を提供することができる。
【図面の簡単な説明】
【００１４】
【図１】本発明の弁当箱用おかず小分け容器を弁当箱に詰めた状態を示す上面図である。
【図２】図１に示す弁当箱用おかず小分け容器を示す側面図である。
【発明を実施するための形態】
【００１５】
以下、本発明に係る弁当箱用おかず小分け容器の実施形態について説明する。弁当箱用おかず小分け容器（以下、「小分け容器」）１０は、図１に示すように、形状の異なる複数の分割容器１１，１２，１３を組み合わせてなり、略楕円形状（小判型）の弁当箱２０の内部に収容される。各分割容器１１，１２，１３は、この弁当箱２０内の所定位置に配置されることにより、略楕円形状を短軸Ａ方向に沿って分割して得られる略半楕円形状の所定のスペース２１を占める。
【００１６】
弁当箱２０は、略楕円形状（小判型）の底面部２０ａと、底面部２０ａの外周縁から立ち上がる側面部２０ｂとを有する箱形であり、その中央部付近に内部を２つの略半楕円形状のスペース２１，２２に仕切る仕切り板２０ｃが設けられている。この弁当箱２０において、スペース２１には小分け容器１０が収容され、スペース２２にはたとえば白飯が詰められる。
【００１７】
この実施形態において、図１および図２に示すように、小分け容器１０は、略半楕円形状を長軸Ｂ方向に沿って分割して得られる略１／４楕円形状の平坦な底面部１１ａおよびこの底面部１１ａの外周縁から立ち上がる側面部１１ｂを有する第１の分割容器１１、その残りの略１／４楕円形状を短軸Ａ方向に沿ってさらに分割して得られる略扇形状の平坦な底面部１２ａおよびこの底面部１２ａの外周縁から立ち上がる側面部１２ｂを有する第２の分割容器１２、および略四角形状の平坦な底面部１３ａおよびこの底面部１３ａの外周縁から立ち上がる側面部１３ｂを有する第３の分割容器１３を有する。
【００１８】
第１〜第３の分割容器１１，１２，１３は、紙、アルミ箔、樹脂のいずれか１種または２種以上の複合材料で形成され、各側面部１１ｂ，１２ｂ，１３ｂがひだ状に形成されている。したがって、各分割容器１１，１２，１３は、それぞれ複数枚を重ねて同時に成形が可能であり、また使い捨てが可能である。
【００１９】
以上説明したように、この小分け容器１０によれば、分割容器１１，１２，１３を組み合わせた形状が弁当箱２０の所定のスペース２１に略等しいので、弁当箱２０のスペースの有効利用が可能であるとともに、分割容器１１，１２，１３が弁当箱２０の中でずれにくいので、おかずが混ざったりスペース２２に詰められた白飯に付着したりしにくい。また、各分割容器１１，１２，１３の各側面部１１ｂ，１２ｂ，１３ｂがひだ状に形成されているので、このひだがかみ合うことにより隣接する分割容器１１，１２，１３同士の位置決めがなされ、弁当箱２０内でのずれがより効果的に防止される。
【００２０】
なお、本発明は前記実施形態の構成のものに限定されるものではなく、細部構成においては、本発明の趣旨を逸脱しない範囲において種々の変更を加えることが可能である。たとえば、前記実施形態では小分け容器１０を３つの分割容器で構成したが、小分け容器を２つの分割容器や、４つ以上の分割容器で構成してもよい。
【符号の説明】
【００２１】
１０  弁当箱用おかず小分け容器
１１，１２，１３  分割容器
１１ａ，１２ａ，１３ａ  底面部
１１ｂ，１２ｂ，１３ｂ  側面部
２０  弁当箱
２０ａ  底面部
２０ｂ  側面部
２０ｃ  仕切り板
【図１】
0005950515.tif 000002
【図２】
0005950515.tif 000003